(57)【特許請求の範囲】
【請求項１】
建物開口部の４辺に沿って設けられる枠体と、
前記枠体内を見付方向に移動する少なくとも１枚の障子と、
少なくとも一対の召し合わせ框と、
前記召し合わせ框の内召し合わせ框に設けられる係合手段と、
前記召し合わせ框の外召し合わせ框に設けられる被係合手段と、を有して前記係合手段と前記被係合手段とが係合離脱することにより前記障子の施錠開錠がおこなわれる開口部装置であって、
前記被係合手段は、前記係合手段に係合する部位であるとともに見付方向に位置調整可能とされる被係合片と、
前記被係合片の前記位置調整の操作をするための部位であり、前記操作に供される見付方向に回転軸を有するねじを具備する調整部と、を備え、
前記調整部は、前記障子を閉鎖した姿勢で室内側正面視で前記係合手段又は前記内召し合わせ框により隠蔽される位置であるとともに、前記ねじは前記隠蔽された姿勢のままでも室内側で、かつ前記内召し合わせ框より室外側から操作することが可能である位置及び向きに配置されることを特徴とする開口部装置。
【請求項２】
前記調整部は前記外召し合わせ框の内側に配置され、
前記外召し合わせ框には、前記調整部を操作可能にする孔が、前記障子を閉鎖した姿勢で室内側で、かつ前記内召し合わせ框より室外側に設けられている請求項１に記載の開口部装置。
【発明の詳細な説明】
【技術分野】
【０００１】
本発明は引き違い障子等の召し合わせ框に施錠手段を備える開口部装置に関し、詳しくは当該施錠手段により施工性及び防犯性が向上される開口部装置に関する。
【背景技術】
【０００２】
従来から、引違い窓や片引き窓、上げ下げ窓等のように、窓枠内側に配置された障子が見付方向にスライドして開閉される開口部装置がある。このような開口部装置において、障子が閉鎖された姿勢で室内外方向に重なって配置される一対の召し合わせ框に施錠手段が設けられることにより当該開口部装置の施錠開錠が行われるのが通常である。具体的には室内側の召し合わせ框（以下、「内召し合わせ框」と記載することがある。）に備えられる係合手段と、室外側の召し合わせ框（以下、「外召し合わせ框」と記載することがある。）に備えられる被係合手段と、が係合離脱されることにより障子の移動が禁止、許容されて施錠開錠が行われる。これには例えばクレセント錠を挙げることができる。
【０００３】
このような施錠手段では、窓枠や障子の加工、組立精度、建て付け状態等により係合手段と被係合手段とが施工時に必ずしも適切な位置関係とならない場合が多い。これに対して例えば特許文献１には、被係合手段を見付方向に調整することができる考案が開示されている。これによれば、クレセント受けを有する被係合手段を水平である長孔を介してビスにより外召し合わせ框に取り付けている。従って、ビスを緩めることで、長孔に沿った方向に被係合手段（クレセント受け）を移動させ、位置調整をすることが可能になっている。
【０００４】
また、文献には特に表されていないが、外召し合わせ框の室外側に設けられた差込孔から工具を差込操作することにより該外召し合わせ框に配置された被係合手段を見付方向に調整させることができる開口部装置が知られている。
【特許文献１】実開昭６０−８２０６５号公報
【発明の開示】
【発明が解決しようとする課題】
【０００５】
しかしながら、特許文献１に記載のような従来の施錠手段において被係合手段の位置調整を障子を閉鎖した姿勢でおこなおうとすると、緩めるべきビスが内召し合わせ框により隠蔽されてしまうので調整をすることができない。そこで障子を閉鎖の姿勢からずらす必要があり、係合手段材との関係が不明となるので、適切な調整が完了するまで手間がかかる問題があった。
【０００６】
また、外召し合わせ框の室外側に設けられた差込孔から工具を差込操作することにより該外召し合わせ框内側に配置された被係合手段を見付方向に調整させることができる開口部装置では、調整用差込孔が室外側にあるので外部から操作される可能性があり、防犯の観点から改善が望まれていた。
【０００７】
そこで本発明は、上記問題に鑑み施工性及び防犯性に優れる、召し合わせ框に施錠手段を備える開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物開口部の４辺に沿って設けられる枠体（２）と、枠体内を見付方向に移動する少なくとも１枚の障子（１０）と、少なくとも一対の召し合わせ框（８、１３）と、召し合わせ框の内召し合わせ框（１３）に設けられる係合手段（２１）と、召し合わせ框の外召し合わせ框（８）に設けられる被係合手段（３０）とを有して係合手段と被係合手段とが係合離脱することにより障子の施錠開錠がおこなわれる開口部装置（１）であって、被係合手段は、係合手段に係合する部位であるとともに見付方向に位置調整可能とされる被係合片（３３ｃ）と、被係合片の位置調整の操作をするための部位であり、操作に供される見付方向に回転軸を有するねじを具備する調整部（３５）とを備え、調整部は、障子を閉鎖した姿勢で室内側正面視で係合手段又は内召し合わせ框により隠蔽される位置であるとともに、ねじは隠蔽された姿勢のままでも室内側で、かつ内召し合わせ框より室外側から操作することが可能である位置及び向きに配置されることを特徴とする開口部装置を提供することにより前記課題を解決する。
【００１０】
請求項２に記載の発明は、請求項１に記載の開口部装置（１）における調整部（３５）は、外召し合わせ框（８）の内側に配置され、外召し合わせ框には、調整部を操作可能にする孔（８ｆ）が、障子を閉鎖した姿勢で室内側で、かつ内召し合わせ框（１３）より室外側に設けられている。
【発明の効果】
【００１１】
本発明によれば、被係合手段の位置調整を障子が閉じた姿勢で室内側からできるので、被係合手段と係合手段との位置調整を容易におこなうことができるとともに、室外側から調整できないように形成されているので、防犯性に優れた開口部装置とすることができる。
【００１２】
また、調整部を開口部装置の室内視から係合手段や召し合わせ框等により隠蔽させることができ意匠性を向上させることも可能となる。そして、このように隠蔽された姿勢であっても他の部材を除去、又は移動させることなく調整部を操作することができるので、かかる観点からも調整が容易である。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。ただし、本発明は当該実施形態に限定されるものではない。
【００１５】
図１は１つの実施形態に係る本発明の開口部装置１の室内側正面図である。図１（ａ）は障子１０が閉鎖された姿勢、図１（ｂ）は障子１０が途中まで開放された姿勢を示している。開口部装置１は、建物開口部の４辺の縁に沿って備えられる枠体２と、該枠体２の内側に配置されるガラスパネル７と、同様に枠体２の内側に配置される障子１０と、内外召し合わせ框８、１３に設けられる施錠手段２０と、を備えている。以下に図１、及び適宜示す図を参照しつつ各部材について説明する。
【００１６】
枠体２は、建物開口部の４辺に沿って設けられる長尺の型材である縦枠３、４、及び横枠５、６が枠状に組み合わされて形成されている。これら縦枠３、４及び横枠５、６は、通常の開口部装置に用いられる枠部材を用いることができ、断面形状も特に限定されるものではない。
【００１７】
ガラスパネル７は、枠体２の内側に備えられるガラス面材である。本実施形態では、ガラスパネル７はいわゆる複層ガラスであり、２枚のガラス面材が平行に並べて備えられている。ガラスパネル７の上辺には横枠５が、下辺には横枠６が配置される。また、ガラスパネル７の室内側正面視左辺（図１において左辺）は縦枠４が、同右辺は外召し合わせ框８が配置される（図１（ｂ）参照）。ここでガラスパネル７、及び外召し合わせ框８は障子１０よりも室外側（図１紙面奥側）に設けられる。
【００１８】
障子１０は、枠体２の内側に備えられ、該枠体２の内側を見付方向にスライドして移動することができる、いわゆる引戸形式の障子１０である。障子１０は、ガラス面材により形成されるガラスパネル１１、ガラスパネル１１の上下の辺に沿って配置される横框１４、１５、ガラスパネル１１の一方の縦辺に沿って配置される戸先框である縦框１２、及び他方の縦辺に沿って設けられる内召し合わせ框１３を備えている。ここで、本実施形態では、ガラスパネル１１は複層ガラスであり２枚の平行に配置されたガラス面材が備えられている。また、横框１５の内側には、障子１０の開閉を円滑とするために不図示の車輪が設けられている。
障子１０は、上記の通り、ガラスパネル７及び外召し合わせ框８よりも室内側に設けられ、該ガラスパネル７及び外召し合わせ框８の室内側をスライドされることにより開口部装置１の開閉が行われる。
【００１９】
次に施錠手段２０について説明する。図２は、図１（ａ）にＡで示した部分を拡大するとともに該Ａで示した部分を図１の紙面左側からみた斜視図である。図２（ａ）は施錠手段２０のフタ２３が閉じられた場面、図２（ｂ）は該フタ２３が開けられ、つまみ２４ｄが操作できるようにされた場面をそれぞれ表している。
このように本発明の開口部装置１では施錠手段２０は内外の召し合わせ框８、１３に設けられ、これを操作することにより施錠開錠が行われる。ここでは初めに施錠手段２０の構造について説明をし、該施錠手段２０が障子１０及び外召し合わせ框８との関係でどのように配置されるかについては、その後で説明する。
【００２０】
図３は、は図１（ａ）にＡで示した部分の水平断面図で、施錠手段２０が表れるように示した図である。図４は同垂直断面図で施錠手段２０が表れるように示した図である。ここで図３、及び図４に表された施錠手段２０は見易さのため主要な部材のみを示し、必ずしも備えられる全ての部材を表してはいない。他の部材については通常の錠に用いられる各種機能を有する付加的な部材が加えられてもよく、図面の記載には限定されない。図５は、施錠手段２０の被係合手段３０の斜視図、図６は被係合手段３０の動作を説明するための図である。以下図１〜図６を参照しつつ施錠装置２０について説明する。
【００２１】
施錠手段２０はいわゆるクレセント錠であり、係合手段２１と被係合手段３０とを備えている。
係合手段２１は、図４によく表れているようにケース２２、フタ２３、クレセント２４、及び弾性部材２５を備えている。ケース２２は部材２２ａ〜２２ｄを組み合わせることにより略箱状を形成し、係合手段２１に備えられる各構成部材を内側に包含するように構成されている。ケース２２は、内召し合わせ框１３に取り付けられた姿勢で室内側面と室外側面とにそれぞれ開口を有している。室内側面はフタ２３が図２（ａ）、図２（ｂ）に示したように開閉可能に取り付けられている。フタ２３を開けた場合には間隙２２ｅを介してフタ２３は下方へ移動することができる。一方、室外側面の開口からはクレセント２４の一部が突没することが可能とされている。
【００２２】
ケース２２には、係合手段２１に備えられる各部材が取り付けられてユニット化されており、施工者は係合手段２１の取り付けの際、該係合手段２１を一体として取り扱うことができるので利便性が高い。本実施形態では係合手段２１は内召し合わせ框１３の内側に取り付けられているが、係合手段が框の外側に取り付けられる場合にはケースにより意匠性を向上させるとともに、機構への挟まれ防止をし、安全性も向上させることができる。
【００２３】
クレセント２４は、ベース２４ａと、係合片２４ｂと、つまみ２４ｄとを備えている。
ベース２４ａは、一端側が回動軸２４ｃにより回動可能にケース２２に軸着され、他端側が室内方向に延在する所定の長さを有する部材である。また、ベース２４ａの回動軸２４ｃ側の端部には該回動軸２４ｃを中心とした円弧上の係合片２４ｂが回動軸２４ｃの軸心に平行な方向に立設されている。回動軸２４ｃから係合片２４ｂまでの距離は係合片２４ｂが被係合片３３ｃに適切に係合することができるように設定されている。また、ベース２４ａの上記軸着された端部とは反対側の端部にはつまみ２４ｄが取り付けられている。これにより使用者は快適にクレセント２４の操作をすることができる。
【００２４】
加えて、所定の位置には弾性部材２５が取り付けられている。弾性部材２５は一端をベース２４ａの軸着された部分の近傍に、他端をケース２２に固定されている。これは、クレセント２４が回動されるとともに伸び、クレセント２４の開錠の姿勢、及び施錠の姿勢で最も短くなるように取り付けられている。これによりクレセント２４が開錠の姿勢、又は施錠の姿勢で安定してその位置を維持し、クレセント２４が予期せぬときに動くことを禁止することができる。
【００２５】
被係合手段３０は、図５、及び図６によく表れているように台座３１、クレセント受け３３、ねじ３５、及びビス３６を備えている。
台座３１は、平板部３１ａを有し、該平板部３１ａは、長さ方向（図５、図６において上下方向）中央部分に幅方向（図５において紙面左下右上方向、図６において紙面左右方向）のくびれを有する平板である。また、平板部３１ａのくびれを有しない部分の幅方向端部には平板部３１ａの面に直交する方向に立てられるように形成された板状の立設部３１ｂ、３１ｃ、３１ｄ、３１ｅが設けられている。さらに平板部３１ａには長さ方向上下端部に孔３１ｆ、３１ｇが開けられるとともに、長さ方向略中央には幅方向を長軸とする長孔３１ｈも開けられている。
【００２６】
台座３１にはこれに加えて立設片３２を備えている。立設片３２は、平板部３１ａの上記くびれた部分の幅方向端部で下部に立設部３１ｂ、３１ｃ、３１ｄ、３１ｅと同様に立設された板状部材である。立設片３２には板厚方向に貫通するねじ孔３２ａが設けられている。
【００２７】
クレセント受け３３は、摺動平板３３ａを有し、該摺動平板３３ａは、上記した台座３１の平板部３１ａの背面（立設部３１ｂ、３１ｃ、３１ｄ、３１ｅとは反対側の面）に重ね合わされるように配置される平板である。また、摺動平板３３ａの幅方向一端からは該摺動平板３３ａの面に直交し、立設部３１ｃ、３１ｅと同じ方向に立てられるように形成された板状の立設部３３ｂが設けられている。さらに立設部３３ｂの摺動平板３３ａとは反対側の端部には、立設部３３ｂの面に直交し、摺動平板３３ａ側に戻るように設けられた平板状の部材である被係合片３３ｃが備えられる。ここに上記したクレセント２４の係合片２４ｂが係合することにより施錠される。
【００２８】
クレセント受け３３はこれに加えて立設片３４を備えている。立設片３４は、摺動平板３３ａの幅方向端部で下部に立設部３３ｂと同様に立設された板状部材である。立設片３４には板厚方向に貫通する孔３４ａが設けられている。孔３４ａはねじ孔３２ａと略同軸となるような位置に配置されている。
【００２９】
さらにクレセント受け３３は、孔３４ａを貫通してねじ部がねじ孔３２ａにねじ込まれる調整部としてのねじ３５を有する。加えて、クレセント受け３０には長孔３１ｈ内を貫通するとともに一端が摺動平板３３ａに固定されるビス３６が備えられる。これにより摺動平板３３ａはビス３６が長孔３１ｈ内を移動できる範囲でこれと同じ方向（水平方向）に移動することが可能となる。
【００３０】
このように形成されたクレセント受け３３は図６からわかるように、ねじ３５を回動させることにより立設片３２と立設片３４との間隔が変化し、これにともない台座３１とクレセント受け３３との相対位置が変化する（図６（ａ）、図６（ｂ））。実際には後述するように台座３１は外召し合わせ框８に固定されるので、上記ねじ３５の操作によりクレセント受け３３が水平方向すなわち見付方向に移動される。
【００３１】
以上のような構成を有する施錠手段２０は、内外召し合わせ框８、１３に以下のように配置される。図３及び図４に表れているように、施錠手段２０の係合手段２１は内召し合わせ框１３の内側に具備される。このときフタ２３の部分が内召し合わせ框１３の室内側面に配置され、内召し合わせ框１３の室外側面からクレセント２４の係合片２４ｂがクレセント受け３０に係合するためにクレセント２４の回動により突出する。
【００３２】
一方、被係合手段３０は外召し合わせ框８の内側で最も室内側である部位に配置される。ここで、図３に表れているように外召し合わせ框８の内側は区切り壁８ａ、８ｂにより部位８ｃ、８ｄ、８ｅに分けられている。このうち部位８ｅは、その全てがガラスパネル７よりも室内側となるように設けられた部位で、被係合手段３０は当該部位８ｅに配置される。その際、被係合手段３０のねじ３５の操作部分（ねじ頭部）が部位８ｅを形成する壁のうちの室内側の壁に面するとともに、内召し合わせ框１３とは対向しない壁である壁８ｇに向けられるように設置される。そして、ねじ３５を室内側から工具等で操作することができるように当該壁８ｇには孔８ｆが設けられている（図２も参照）。従って、孔８ｆから工具を差し込み、ねじ３５を回動させることにより、上記したようにクレセント受け３３の水平方向位置を移動調整させることができる。
【００３３】
以上に説明したような本発明の開口部装置１により、施工者又は使用者は、クレセント２４とクレセント受け３３との相対位置の調整を、障子１０を閉じた姿勢、すなわち施錠可能な位置でおこなうことができ、これを室内側からできるので、作業が容易である。場合によってはクレセント２４とクレセント受け３３とを係合させた姿勢で調整することも可能である。また、クレセント受け３３を調整するために工具を差し込むための孔が室外側に露出していないので室外側からは調整をすることができず、防犯性にもすぐれた開口部装置を提供することができる。また、当該孔８ｆが室内側に配置されているので、ここに賊等が工具等が差し込むことを防ぐための「ふた」等も必要なく、部材の節約も可能である。
【００３４】
本実施形態では、いわゆる召し合わせ框内に施錠手段が内蔵される形式である開口部装置について詳細を説明したがこれに限定されるものではなく、係合手段及び被係合手段が召し合わせ框の外面に取り付けられる形式である開口部装置であってもよい。また、本実施形態では施錠装置がクレセント錠である場合を実施形態として説明したが、必ずしもこれに限定されることはなく、内外の召し合わせ框のそれぞれに設けられる係合手段、及び被係合手段の関係を有する錠を備えるものであれば本発明の開口部装置とすることができる。
【００３５】
以上、現時点においてもっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３６】
【図１】１つの実施形態にかかる本発明の開口部装置の室内視正面図である。
【図２】図１にＡで示した部分の斜視図である。
【図３】図１にＡで示した部分の水平断面図である。
【図４】図１にＡで示した部分の垂直断面図で施錠手段の主要部材に注目した図である。
【図５】被係合手段の斜視図である。
【図６】被係合手段の正面図である。
【符号の説明】
【００３７】
１  開口部装置
２  枠体
３  縦枠
４  縦枠
５  横枠
６  横枠
７  ガラスパネル
８  外召し合わせ框
８ａ  区切り壁
８ｂ  区切り壁
８ｃ  部位
８ｄ  部位
８ｅ  部位
８ｆ  孔
１０  障子
１１  ガラスパネル
１２  縦框
１３  内召し合わせ框
１４  横框
１５  横框
２０  施錠手段
２１  係合手段
２２  ケース
２３  フタ
２４  クレセント
２４ａ  ベース体
２４ｂ  係合片
２４ｃ  回動軸
２４ｄ  つまみ
２５  弾性部材
３０  被係合手段
３１  台座
３１ａ  平板部
３１ｂ〜３１ｅ  立設部
３１ｆ、３１ｇ  孔
３１ｈ  長孔
３２  立設片
３２ａ  ねじ孔
３３  クレセント受け
３３ａ  摺動平板
３３ｂ  立設部
３３ｃ  被係合片
３４  立設片
３４ａ  孔
３５  ねじ（調整部）
３６  ビス
【図１】
0005030684.tif 000002
【図２】
0005030684.tif 000003
【図３】
0005030684.tif 000004
【図４】
0005030684.tif 000005
【図５】
0005030684.tif 000006
【図６】
0005030684.tif 000007